(57)【要約】【課題】  ジャムを回避しつつ電力消費の低減を図ることが可能な画像形成装置を提供する。【解決手段】  １ページ分の画像が完成してから給紙、印刷を行い、かつ給紙から排紙までの搬送経路に複数枚の用紙が同時に動く画像形成装置において、印刷中に電源キーをオフした場合、まだ給紙動作が開始されていないページの給紙動作を止め、既に給紙動作に入ったページまでを印刷排紙した時点で電源を遮断する。【選択図】  図１
2005329677.tif 000002
【特許請求の範囲】
【請求項１】
１ページ分の画像が完成してから給紙、印刷を行い、かつ給紙から排紙までの搬送経路に複数枚の用紙が同時に動く画像形成装置において、印刷中に前記画像形成装置の電源をオフした場合、給紙動作が開始されていないページの給紙動作を停止し、既に給紙動作に入ったページまでを印刷排紙した時点で前記電源を遮断することを特徴とする画像形成装置。
【請求項２】
請求項１の画像形成装置において、ジョブの途中で印刷が中断され、印刷が完了しなかったジョブを未完了ジョブとして保存しておき、前記電源がオン後に再印刷することを特徴とする画像形成装置。
【請求項３】
請求項２の画像形成装置において、印刷完了したページ数を記憶し、再印刷の際には続きのページから印刷することを特徴とする画像形成装置。
【請求項４】
請求項２の画像形成装置において、前記電源がオンされたときに未完了ジョブから印刷開始することを特徴とする画像形成装置。
【請求項５】
請求項２の画像形成装置において、複数部数指定されたジョブの途中で前記電源が中断された場合は、前記電源がオンされたときに未完了ジョブの中断した部の先頭ページから印刷開始することを特徴とする画像形成装置。
【請求項６】
請求項５の画像形成装置において、未完了ジョブの途中ページから継続するか、部の先頭から再印刷するかの選択が可能であることを特徴とする画像形成装置。
【請求項７】
請求項６の画像形成装置において、未完了ジョブの途中ページから継続するか、部の先頭から再印刷するかをステープルやパンチを実行する後処理の指定によって自動選択することを特徴とする画像形成装置。
【発明の詳細な説明】
【技術分野】
【０００１】
本発明は、プリンタ、コピー、ファクス等の画像形成装置の電源遮断に対する処理動作に関する。
【背景技術】
【０００２】
１ページ分の画像が完成してから給紙、印刷を行い、かつ給紙から排紙までの搬送経路に複数枚の用紙が同時に動くページプリンタが知られている。
【発明の開示】
【発明が解決しようとする課題】
【０００３】
印刷中に電源をＯＦＦした場合、従来のページプリンタでは受信データを全て印刷完了するまでＯＦＦにならないか、あるいはＯＦＦにした瞬間に用紙の搬送途中でも止まり、次回電源ＯＮ時にはジャム状態になってしまうかのどちらかであった。
本発明は、ジャムを回避しつつ電力消費の低減を図ることが可能な画像形成装置を提供することを目的とする。
【課題を解決するための手段】
【０００４】
上記目的を達成するために、請求項１記載の発明は、１ページ分の画像が完成してから給紙、印刷を行い、かつ給紙から排紙までの搬送経路に複数枚の用紙が同時に動く画像形成装置において、印刷中に前記画像形成装置の電源をオフした場合、給紙動作が開始されていないページの給紙動作を停止し、既に給紙動作に入ったページまでを印刷排紙した時点で前記電源を遮断することを特徴とする。
請求項２記載の発明は、請求項１の画像形成装置において、ジョブの途中で印刷が中断され、印刷が完了しなかったジョブを未完了ジョブとして保存しておいて、電源オン後に再印刷する画像形成装置を主要な特徴とする。
請求項３記載の発明は、請求項２の画像形成装置において、印刷完了したページ数を記憶し、再印刷の際には続きのページから印刷する画像形成装置を主要な特徴とする。
請求項４記載の発明は、請求項２の画像形成装置において、電源オンされたときに未完了ジョブから印刷開始する画像形成装置を主要な特徴とする。
請求項５記載の発明は、請求項２の画像形成装置において、複数部数指定されたジョブの途中で前記電源が中断された場合は、前記電源がオンされたときに未完了ジョブの中断した部の先頭ページから印刷開始することを特徴とする。
請求項６記載の発明は、請求項５の画像形成装置において、未完了ジョブの途中ページから継続するか、部の先頭から再印刷するかの選択が可能である画像形成装置を主要な特徴とする。
請求項７記載の発明は、請求項６の画像形成装置において、未完了ジョブの途中ページから継続するか、部の先頭から再印刷するかをステープルやパンチを実行する後処理の指定によって自動選択することを特徴とする。
【発明の効果】
【０００５】
本発明によれば、１ページ分の画像が完成してから給紙、印刷を行い、かつ給紙から排紙までの搬送経路に複数枚の用紙が同時に動く画像形成装置において、印刷中に電源キーをオフした場合、まだ給紙動作が開始されていないページの給紙動作を止め、既に給紙動作に入ったページまでを印刷排紙した時点で電源を遮断するので、ジャムにならず、かつジャムにならない最短時間で電源を遮断することができる。
【発明を実施するための最良の形態】
【０００６】
以下、図面を参照して、本発明の実施形態を詳細に説明する。
図１は本発明の実施形態に係る画像形成装置としてプリンタの機能ブロック図である。ホストコンピュータ１と接続されるプリンタ２は以下のユニットを有する。
操作パネル１０１は、ＬＣＤやＬＥＤ等の情報表示部と入力キーを持ち、印刷条件等の設定内容の確認と設定の変更を指示する。また、ＬＣＤへのメッセージ表示やＬＥＤの点灯によってアラート等の状態表示を行う。記憶装置１０２は、ＨＤＤやＮＶＲＡＭ等の不揮発性メモリによって、各種設定内容の初期値や現在の設定値を記憶する。
エンジン１０３は、画像形成部や給排紙トレイ、用紙搬送部を有する。画面制御部１０４は、操作パネル１０１に表示する内容やＬＥＤの点灯を制御し、キー入力を設定内容管理部１０５に伝える。
設定内容管理部１０５は、記憶装置１０２から読み込んだ各種設定内容と、画面制御部１０４から受け取るキー入力と、エンジンＩ／Ｆ１０６を通じて受け取るエンジン情報によって現在の設定内容を決定し、それを画面制御部１０４とエンジンＩ／Ｆ１０６に通知する。また、記憶装置１０２への記憶を行う。
エンジンＩ／Ｆ１０６は、給紙トレイにセットされた用紙サイズ等のエンジン情報をエンジン１０３から受け取って設定内容管理部１０５へ渡す。また、ビデオデータをエンジン１０３へ送信する。データ受信部１０７は、ホストコンピュータ１からのデータを受信する。
データ処理部１０８は、受信したデータを処理し、改ページ処理までを１ページ分のページバッファに展開する。また、ページバッファに展開されたデータを大容量記憶装置１１０にジョブ単位で蓄積する。
ビデオ制御部１０９は、ページバッファをビデオデータとしてエンジンＩ／Ｆ１０６を介してエンジン１０３へ送信する。大容量記憶装置１１０は、ＨＤＤ等の不揮発性メモリによってページバッファに展開されたデータをジョブ単位で蓄積する。
【０００７】
図２は第１の処理例のフローチャートである。Ｓ１０１からＳ１０５においてプリンタがデータ受信から印刷出力するまでの概要を説明する。ホストコンピュータ１からデータを受信する(Ｓ１０１)。受信したデータ内容に従い順次展開処理し、大容量記憶装置１１０へ蓄積する(Ｓ１０２、Ｓ１０３)。１ジョブ分の展開処理が完了したらエンジン１０３へ送信して印刷する(Ｓ１０４、Ｓ１０５)。印刷完了後も保存する蓄積型ジョブ以外の場合は大容量記憶装置１１０から消去する。受信データが続いている場合はＳ１０２以降を繰り返す。
電源キー押下より電源ＯＦＦが指定された場合(Ｓ１０６、Ｓ１０７)、操作パネル１０１よりこの情報が設定内容管理部１０５へ伝わり、エンジンＩ／Ｆ１０６を介してエンジンに次の給紙動作を停止させる(Ｓ１０８)。そして、印刷中の用紙が全て排出されたら(Ｓ１０９でＹ)、エンジン１０３は設定内容管理部１０５へ排紙完了を伝える。この通知を受けて設定内容管理部１０５は電源の遮断をエンジン１０３に通知して電源を遮断する（Ｓ１１０、Ｓ１１３）。
電源ＯＦＦが指定され、エンジン１０３に次の給紙動作を停止させたら(Ｓ１０８)、大容量記憶装置１１０に蓄積されている該当ジョブに印刷中断のマーキングし、蓄積型ジョブと同様に保存する。ただし、中断されたジョブと識別できるように蓄積情報を追加する。保存処理が完了し、排紙も完了したら電源を遮断する(Ｓ１０９、Ｓ１１１〜Ｓ１１３)。電源ＯＮ後は、蓄積型ジョブと同様にパネルから再印刷の指定が可能となる。中断されたジョブの識別情報によって表示上の区別を設ける（例えば文書名の先頭にマークを追加する等）。
【０００８】
図３は第２の処理例のフローチャートである。ジョブの先頭からの排紙完了ページ数を随時カウントする。電源ＯＦＦの指定によってエンジン１０３が次の給紙動作を停止し、印刷中の用紙を排紙完了したら、そのページ数を中断されたジョブの蓄積情報の一部として大容量記憶装置１１０に記憶する。電源ＯＮ後(Ｓ２０１)、中断されたジョブの再印刷が指定された場合は(Ｓ２０２)、ビデオ制御部１０９によってジョブの先頭からのページ数を管理し、記憶されたページ数の次のページからエンジン１０３へ印刷指示を行う(Ｓ２０３〜Ｓ２０５)。
【０００９】
図４は第３の処理例のフローチャートである。電源ＯＦＦによって中断したジョブが保存された後、電源ＯＮされた場合は(Ｓ３０１)、保存されているジョブの蓄積情報を検索して、中断されたジョブが存在するか判断する(Ｓ３０２)。中断されたジョブが存在する場合には(Ｓ３０２でＹ)、ホストコンピュータ１からデータの送信があっても、中断されたジョブの継続印刷を優先的に実行する(Ｓ３０３、Ｓ３０４)。中断されたジョブが存在しなければ、通常の印刷を行う(Ｓ３０５、Ｓ３０６)。
また、電源ＯＮされた場合に中断されたジョブが存在する場合には、中断されたジョブの蓄積情報の部数値を見て、複数部指定されている場合には先頭ページから再印刷する。
また、中断されたジョブが存在する場合の継続動作の設定項目を設け、「先頭ページ」「継続ページ」をユーザーが設定可能にする。電源ＯＮされた場合に中断されたジョブが存在する場合には、上記継続動作の設定内容を見て、ジョブの先頭からか前回排紙完了した次のページから行うかを決定する。
また、ジョブが中断された場合、蓄積情報の後処理設定項目にステープル等の指定状態を記憶する。電源ＯＮされた場合に中断されたジョブが存在する場合には、上記後処理設定項目見て、ステープル等が指定されている場合のみジョブの先頭から印刷し、他の場合については前回排紙完了した次のページから印刷を行う。
【００１０】
本実施形態では、電源ＯＦＦによって印刷を中断したジョブは大容量記憶装置１１０に保存しておき、電源ＯＮ後に改めて再印刷できるので、印刷途中に電源を切っても、次に電源ＯＮした時にホストコンピュータ１からのデータの再送することなく電源ＯＦＦで中断したジョブを再印刷することができる。
また、電源ＯＦＦによって中断したジョブの印刷完了したページ数を記憶しておき、再印刷の際には続きのページから印刷されるので、電源ＯＦＦ前に途中まで印刷されたページが２回印刷されることなく、無駄な資源の消費を防ぐことができる。
また、電源ＯＮしたときに未完了ジョブが保存されている場合は自動的に未完了ジョブの続きから印刷するので、電源ＯＮ直後に印刷データを受信しても、電源ＯＦＦ前の状態から継続して排紙され、排紙トレイでジョブが混載することなく、未完了ジョブを継続印刷できる。
また、複数部数を指定されている場合の電源ＯＮによる継続印刷の場合は部の先頭から印刷するので、ステープル等の部をまとめて排出する必要がある処理が指定されていても、その処理に影響を与えず指定したとおりの後処理が実行できる。
また、電源ＯＮによる継続印刷の場合の継続方法をユーザーが指定できるので、ユーザーの使用状況に合わせて効率的な再開方法を選択することができる。
また、中断されたジョブの後処理設定を記憶しておき、電源ＯＮ時にはその内容によって適切なページより継続印刷されるので、ユーザーが意識することなく、後処理の実現を優先し、かつ無駄を抑えることができる。
【図面の簡単な説明】
【００１１】
【図１】本発明の実施形態に係る画像形成装置としてプリンタの機能ブロック図である。
【図２】第１の処理例のフローチャートである。
【図３】第２の処理例のフローチャートである。
【図４】第３の処理例のフローチャートである。
【符号の説明】
【００１２】
１０１  操作パネル
１０２  記憶装置
１０３  エンジン
１０４  画面制御部
１０５  設定内容管理部
１０６  エンジンＩ／Ｆ１０６
１０７  データ受信部
１０８  データ処理部
１０９  ビデオ制御部
１１０  大容量記憶装置
【図１】
2005329677.tif 000003
【図２】
2005329677.tif 000004
【図３】
2005329677.tif 000005
【図４】
2005329677.tif 000006